(57)【要約】【課題】  操作性や操作感に優れたヘッドセットを提供する。【解決手段】  スピーカを備え耳孔に挿入されるイヤホン部と、一端側にマイクを備えた本体部とを有し、これらが一体化されてなるヘッドセットである。本体部側面に操作ボタンが設けられ、当該操作ボタンを操作することで内蔵されるプリント基板のスイッチ素子がオン・オフされる。操作ボタンは、操作部と、ヒンジ部と、係止部とを有し、係止部を本体部のケース部材に係止することで取り付けられている。プリント基板に設けられるスイッチ素子は、プリント基板の主面に平行に押圧操作することによりオン・オフされる。【選択図】  図２
2005109943.tif 000002
【特許請求の範囲】
【請求項１】
スピーカを備え耳孔に挿入されるイヤホン部と、一端側にマイクを備えた本体部とを有し、これらが一体化されてなるヘッドセットにおいて、
本体部側面に操作ボタンが設けられ、当該操作ボタンを操作することで内蔵されるプリント基板のスイッチ素子がオン・オフされることを特徴とするヘッドセット。
【請求項２】
上記操作ボタンは、本体部の両側部に一対設けられていることを特徴とする請求項１記載のヘッドセット。
【請求項３】
上記操作ボタンは、操作部と、ヒンジ部と、係止部とを有し、係止部を本体部のケース部材に係止することで取り付けられていることを特徴とする請求項１記載のヘッドセット。
【請求項４】
上記プリント基板に設けられるスイッチ素子は、プリント基板の主面に平行に押圧操作することによりオン・オフされることを特徴とする請求項１記載のヘッドセット。
【発明の詳細な説明】
【技術分野】
【０００１】
本発明は、耳に装着して無線通話等を行うヘッドセットに関するものであり、特に、操作ボタンの改良に関する。
【背景技術】
【０００２】
ハンズフリーでの通話を可能とする装置として、スピーカやマイクを内蔵し、耳に装着して使用する、いわゆるヘッドセットが知られている。ヘッドセットの形態としては、いわゆるヘッドホンスタイルのものが多用されており、いずれか一方の耳当てからマイクが口元まで延長された形態のものが一般的である。
【０００３】
これに対して、無線通信のためのマイクロホンやスピーカ、回路基板、充電池等を全てカバーにて密閉されたケース部材内に収容し、より一層の小型化を図ったものが開発されている。このようなヘッドセットでは、指向性の高いマイクロホンを使用することで、マイクを口元まで延長する必要をなくし、使用感の一層の向上が図られている。
【０００４】
ところで、このようなヘッドセットにおいては、種々の操作を行うための操作ボタンが必要である。電子機器の操作ボタンは、押しボタン式のものが広く用いられており（例えば、特許文献１等を参照）、ヘッドセットにおいても、これを流用するのが簡単である。
【特許文献１】特開２０００−２５１５７５号公報
【発明の開示】
【発明が解決しようとする課題】
【０００５】
しかしながら、押しボタン式の操作ボタンをヘッドセットに組み込む場合、耳に向かって押し込む形になり、操作感が悪いという問題がある。通常、押しボタン式の操作ボタンは、スイッチ素子が設けられたプリント基板の主面に対して垂直方向に押し込むように設けられる。ヘッドセットにおいても同様に配置すると、押圧力が耳に直接伝わり、不快である。また、ヘッドセット装着時には、手探りで操作ボタンを探す必要があるが、このような位置に操作ボタンを設けると、操作ボタンの位置がわかり難く、操作性が悪いという問題もある。
【０００６】
そこで本発明は、このような従来の実情に鑑みて提案されたものであり、操作感や操作性に優れたヘッドセットを提供することを目的とする。すなわち、本発明は、操作ボタン操作時に耳に対して押圧力が加わることがなく、また手探りでも操作ボタンの位置がわかりやすいヘッドセットを提供することを目的とする。
【課題を解決するための手段】
【０００７】
上述の目的を達成するために、本発明のヘッドセットは、スピーカを備え耳孔に挿入されるイヤホン部と、一端側にマイクを備えた本体部とを有し、これらが一体化されてなるヘッドセットにおいて、本体部側面に操作ボタンが設けられ、当該操作ボタンを操作することで内蔵されるプリント基板のスイッチ素子がオン・オフされることを特徴とする。例えば、操作ボタンは、本体部の両側部に一対設けられる。
【０００８】
操作ボタンを本体部側面に設けることで、これを押圧操作した際に、押圧力が耳に伝わることがなく、良好な操作感が得られる。また、ヘッドセット装着時に、自然と手が触れる位置近傍に操作ボタンが配置されることになるので、手探りでも容易に操作ボタンの位置を把握することが可能であり、良好な操作性も実現される。
【発明の効果】
【０００９】
以上の説明からも明らかなように、本発明によれば、操作ボタン操作時に耳に対して押圧力が加わることがなく、また手探りでも操作ボタンの位置がわかりやすい、操作感及び操作性に優れたヘッドセットを提供することが可能である。
【発明を実施するための最良の形態】
【００１０】
以下、本発明を適用したヘッドセットについて、図面を参照して詳細に説明する。
【００１１】
本発明のヘッドセット１は、図１に示すように、略々たまご形の本体部２と、イヤホン部３とからなり、このイヤホン部３を使用者の耳孔に挿入することで装着される。そして、本体部２には、装着時に装着者の口の近くまで張り出す先端部分に集音用のマイクロホンが収容されており、装着者の耳孔内に挿入されるイヤホン部３には、スピーカがそれぞれ収容されている。マイクロホンが収容された側が前方となるように装着すれば、使用者は、受信した音声をイヤホン部３で聞き、マイクロホンを通じて音声を送信することができる。
【００１２】
上述したような構成のヘッドセット１において、本体部２やイヤホン部３はプラスチック製のケースにより覆われているが、このプラスチック製のケースは、略楕円形の浅皿状を呈する本体ケース部４ａと、この本体ケース部４ａの底面外側に設けられたイヤホンケース部４ｂとからなるケース部材４と、このケース部材４の本体ケース部４ａの開放面側を覆うように強固に取り付けられる略楕円形状のドーム状を呈するカバー部材５と、ケース部材４のイヤホンケース部４ｂの開放面側を覆うように強固に取り付けられるイヤホンカバー部材６とから構成されている。
【００１３】
ケース部材４には、本体部２を構成する本体ケース部４ａ部分に上述したマイクロホンや、回路基板等の電子部品、及びこれらの電源となる電池が収容されている。また、ケース部材４には、本体ケース部４ａの後方側にストラップ取付部１１が孔部として設けられている。さらに、ケース部材４のイヤホンケース部４ｂ部分には、スピーカが収容されており、イヤホン部３を構成している。
【００１４】
上述の通り、本体ケース部４ａには、回路基板であるプリント基板や電源となる充電池が収納されており、さらにはプリント基板に設けられたスイッチ素子を押圧操作するための操作ボタンが設けられているが、以下、この操作ボタンの取り付け構造について説明する。
【００１５】
図２は、本発明のヘッドセット１におけるプリント基板７及び充電池８の収納状態を分解して示すものである。充電池８は、本体ケース部４ａの球面状の凹部に収容され、この上に覆い被せる形でプリント基板７が本体ケース部４ａに対して取り付けられる。
【００１６】
上述の構造において、プリント基板７は、本体ケース部４ａに対して、複数の支持片によって水平方向及び垂直方向の位置決めがなされた上で、フックにより取り付け固定されている。プリント基板７は、剛性を有する、いわゆるリジッド基板であり、上記フックによる取り付け固定により、本体ケース部４ａに強固に組み付けられた状態となる。
【００１７】
操作ボタン９は、上記プリント基板７と本体ケース部４ａの間に配置され、プリント基板７に設けられたスイッチ素子１０の押圧操作を行う。本例では、本体ケース部４ａの両側位置に、一対の操作ボタン９が対称に設置されている。
【００１８】
操作ボタン９は、図３（ａ）及び（ｂ）に示すように、プラスチック製であり、手指で押圧操作する操作部９ａ、押圧操作時に撓んで操作部９ａを円滑に作動させるヒンジ部９ｂ、本体ケース部４ａに取り付け固定するための係止部９ｃとから構成される。
【００１９】
本体ケース部４ａには、上記操作ボタン９の係止部９ｃを係止するための係止凹部１１が設けられ、ここに操作ボタン９の係止部９ｃを差し込み、カバー部材５を被せ、本体ケース部４ａとカバー部材５によって挟み込むことで、脱落することなく操作ボタン９がハウジングである本体部２に取り付けられる。
【００２０】
取り付けられた操作ボタン９は、図４に示すように、操作部９ａがプリント基板７の下面側に設けられたスイッチ素子１０の接点ボタン１０ａと対向するように配置される。そして、操作部９ａを押圧操作すると、ヒンジ部９ｂが撓み、接点ボタン１０ａが押されて、スイッチ素子１０のオン・オフ動作が行われる。
【図面の簡単な説明】
【００２１】
【図１】本発明を適用したヘッドセットの一例を示す側面図である。
【図２】ヘッドセットの分解斜視図である。
【図３】操作ボタンを示すものであり、（ａ）は平面図、（ｂ）は側面図である。
【図４】操作ボタンのプリント基板に対する取り付け状態を示す概略断面図である。
【符号の説明】
【００２２】
１  ヘッドセット
２  本体部
４  ケース部材
４ａ  本体ケース部
５  カバー部材
７  プリント基板
８  充電池
９  操作ボタン
９ａ  操作部
９ｂ  ヒンジ部
９ｃ  係止部
１０  スイッチ素子
【図１】
2005109943.tif 000003
【図２】
2005109943.tif 000004
【図３】
2005109943.tif 000005
【図４】
2005109943.tif 000006